(57)【要約】【課題】本発明は、分割点灯される光源のブロックサイズを変更可能な自由度の高いバックライト装置と、そのバックライト装置を使用した液晶表示装置を提供することを目的とする。【解決手段】本発明の一態様によれば、光を放出する主面上にストライプ状の複数の突起が並列に設けられた導光板と、前記複数の突起の並列方向に沿った前記導光板の第１の側面に入射し、前記突起のストライプ方向に伝播する発光光を放出する複数の点光源と、前記複数の点光源から選択された任意数の点光源を含むブロック毎に点灯を制御する点灯回路と、を備えたことを特徴とするバックライト装置が提供される。【選択図】図１２
2011253648.tif 000002
【特許請求の範囲】
【請求項１】
光を放出する主面上にストライプ状の複数の突起が並列に設けられた導光板と、
前記複数の突起の並列方向に沿った前記導光板の第１の側面に入射し、前記突起のストライプ方向に伝播する発光光を放出する複数の点光源と、
前記複数の点光源から選択された任意数の点光源を含むブロック毎に点灯を制御する点灯回路と、
を備えたことを特徴とするバックライト装置。
【請求項２】
前記導光板の第１の側面に対向する第２の側面に入射し、前記突起のストライプ方向に伝播する発光光を放出する複数の点光源をさらに備えたことを特徴とする請求項１記載のバックライト装置。
【請求項３】
前記突起の数は、前記第１の側面側における前記点光源の前記ブロックの数よりも多いことを特徴とする請求項１または２のいずれかに記載のバックライト装置。
【請求項４】
隣り合う前記突起の間隔は、前記並列方向における前記ブロックの幅の１０分の１以下であることを特徴とする請求項３記載のバックライト装置。
【請求項５】
前記導光板の厚さ方向の前記突起の高さは、前記導光板の厚さの１０分の１以下であることを特徴とする請求項１〜４のいずれか１つに記載のバックライト装置。
【請求項６】
前記突起の頂角は、１２０°以下であることを特徴とする請求項１〜５のいずれか１つに記載のバックライト装置。
【請求項７】
前記点灯回路によって同時に消灯および点灯される隣り合う前記点光源の間隔Ｌ、および、前記導光板の厚さｔ、前記突起の頂角θは、
ｔａｎ−１（Ｌ／ｔ）≦１８０°−θ
を満足することを特徴とする請求項１〜６のいずれか１つに記載のバックライト装置。
【請求項８】
請求項１〜７のいずれか１つに記載のバックライト装置と、
前記バックライト装置が有する前記点灯回路に、前記ブロック毎の点灯を制御するための信号を送る点灯制御回路と、
を備えたことを特徴とする液晶表示装置。
【発明の詳細な説明】
【技術分野】
【０００１】
本発明は、バックライト装置および液晶表示装置に関する。
【背景技術】
【０００２】
液晶表示装置に使用されるバックライト装置は、発光面の直下に光源を配置する直下方式と、導光板の側面に光源を配置し導光板の主面である発光面から発光光を放出するエッジ方式と、に大別される。
【０００３】
直下方式では、発光面内に配置された光源を複数のブロックに分割し、ブロック毎に点灯を制御することが可能である。これにより、液晶画面に表示される映像の輝度を２次元的にコントロールし、画像品質を向上させることができる。さらに、消費電力の削減も可能である。しかし、直下方式は、発光面の全面に渡って光源を配置するため、多数の光源を必要とし高コストとなる難点がある。
【０００４】
これに対し、導光板の側面に光源を配置するエッジ方式は、直下方式よりも大幅に光源を少なくでき低コストである。また、バックライト装置の厚みを薄くできる。このため、エッジ方式においても、発光面を複数のブロックに分割し、ブロック毎に点灯制御する技術的の開発が進められている。例えば、特許文献１に開示された装置のように、複数の細長い導光板を隙間を確保しつつ並列に配置し、個々の導光板ごとに点灯させる方法がある。もしくは、特許文献２に開示された装置のように、導光板に複数の平行な溝を設け、発光面を複数のブロックに区画する方式が提案されている。
【０００５】
しかしながら、これらの方式では、隣接する導光板どうしの間の隙間や、導光板に形成された溝などの部分が、周囲よりも暗いパターンとして表れることがある点で、改善の余地がある。またさらに、これらの方式では、点灯させるブロックサイズが構造的に固定されるため、表示画像の特性に対応させた点灯制御ができない場合が生じる。すなわち、表示画像の画質を向上させるために適した分割単位と、固定された点灯ブロックのサイズと、の間にズレが生じると、ブロック毎の点灯制御、所謂スキャニングが画質を劣化させる場合がある。例えば、映像と文字とが分割表示される画像では、点灯ブロックの境界が、映像と文字との間の境界に一致しなければ、スキャニング表示には適さない。
【先行技術文献】
【特許文献】
【０００６】
【特許文献１】特開２００８−３４３７２号公報
【特許文献２】特開２００９−９０８０号公報
【発明の概要】
【発明が解決しようとする課題】
【０００７】
本発明は、分割されるブロックどうしの間に暗いパターンなどが表れず、分割点灯される光源の点灯ブロックのサイズを変更できる自由度の高いバックライト装置と、そのバックライト装置を使用した液晶表示装置を提供することを目的とする。
【課題を解決するための手段】
【０００８】
本発明の一態様によれば、光を放出する主面上にストライプ状の複数の突起が並列に設けられた導光板と、前記複数の突起の並列方向に沿った前記導光板の第１の側面に入射し、前記突起のストライプ方向に伝播する発光光を放出する複数の点光源と、前記複数の点光源から選択された任意数の点光源を含むブロック毎に点灯を制御する点灯回路と、を備えたことを特徴とするバックライト装置が提供される。
【０００９】
さらに、前記バックライト装置と、前記バックライト装置が有する前記点灯回路に、前記ブロック毎の点灯を制御するための信号を送る点灯制御回路と、を備えたことを特徴とする液晶表示装置が提供される。
【発明の効果】
【００１０】
本発明によれば、分割点灯される光源のブロックサイズを変更できる自由度の高いバックライト装置と、そのバックライト装置を使用した液晶表示装置を実現することができる。
【図面の簡単な説明】
【００１１】
【図１】一実施形態に係るバックライト装置の断面を示す模式図である。
【図２】一実施形態に係る導光板および点光源の配置例を模式的に示す平面図である。
【図３】一実施形態に係る導光板を例示する模式図である。
【図４】一実施形態の変形例に係る導光板を例示する模式図である。
【図５】一実施形態に係る導光板の突起形状を例示する模式図である。
【図６】一実施形態に係るバックライト装置の点灯状態を模式的に示す平面図である。
【図７】一実施形態に係る導光板の輝度分布を模式的に示す平面図である。
【図８】一実施形態に係る導光板の輝度分布を模式的に示す平面図である。
【図９】一実施形態に係る導光板の輝度分布を模式的に示す平面図である。
【図１０】比較例に係る導光板の輝度分布を模式的に示す平面図である。
【図１１】一実施形態に係る導光板の側面における点光源の配置を例示する模式図である。
【図１２】一実施形態の変形例に係るバックライト装置を模式的に例示す平面図である。
【図１３】一実施形態に係る液晶表示装置の構成を模式的に例示するブロック図である。
【図１４】一実施形態に係る液晶表示装置に表示される画像を例示する模式図である。
【発明を実施するための形態】
【００１２】
以下、本発明の一実施形態について図面を参照しながら説明する。なお、以下の実施形態では、図面中の同一部分には同一番号を付してその詳しい説明は適宜省略し、異なる部分について適宜説明する。
【００１３】
図１は、本実施形態に係るバックライト装置１００のＩ−Ｉ断面（図２（ｂ）参照）を示す模式図である。  
バックライト装置１００は、光を放出する主面である発光面１０を有する導光板２と、導光板２の側面に発光光を入射させる点光源３と、点光源３の点灯を制御する点灯回路３０（図１２参照）と、を備えている。
【００１４】
図１に示すように、バックライト装置１００では、導光板２の両側に点光源３が配置されている。さらに、導光板２の側面８ａ、８ｂに沿って複数の点光源３が配置される。点光源３には、例えば、発光ダイオード（Light Emitting Diode：ＬＥＤ）を用いることができる。  
導光板２は、バックフレーム２１に収容され、フロントフレーム２６が被せられて、両フレームの間に固定される。バックフレーム２１の側壁の内側には、実装基板２２にマウントされた点光源３が、導光板２の側面８ａ、８ｂに発光面を向けて配置されている。
【００１５】
バックフレーム２１と導光板２との間には、反射シート２５が配置され、点光源３から導光板２の内部へ放射された発光光を発光面１０の方向に反射する。さらに、フロントフレーム２６の内面にも反射シート２７が配置され、点光源３から放出された発光光を導光板２の内部へ導くことができる。
【００１６】
導光板２の内部に放出された発光光は、発光面１０から放出され、フロントフレーム２６に設けられた開口部２８からバックライト装置１００の外へ放出される。発光面１０の上には、例えば、拡散シート、偏光シートなどを組み合わせた光学シート２３が配置されている。光学シート２３は、輝度、視野角、偏光などの光学特性を最適化するために選択して配置される。
【００１７】
図２は、本実施形態に係るバックライト装置の導光板２および１２と、点光源３の配置例を模式的に示す平面図である。  
図２（ａ）は、導光板２と点光源３との配置の第１の具体例を表す。同図に示すように、導光板２は矩形に形成することができる。後述するように、導光板２の主面である発光面１０には、複数の突起５が並列に設けられている（図３参照）。例えば、突起５は、導光板２の短辺に沿ったＹ方向にストライプ状に延在し、長辺に沿ったＸ方向に並列させて設けることができる。
【００１８】
図２（ａ）に表した具体例においては、複数の点光源３が実装基板２２にマウントされ、導光板２のＸ方向に沿った第１の側面である側面８ａに対向するように配置されている。各点光源３から放出された発光光は、側面８ａから導光板２に入射する。さらに、導光板２に入射した発光光が、突起５が延在するＹ方向に伝播するように構成されている。具体的には、点光源３の光軸（発光方向）と、導光板２の短辺方向と、を一致させて配置することができる。
【００１９】
図２（ｂ）は、バックライト装置１００の導光板２と、点光源３と、配置の第２の具体例を示している。  
点光源３は、導光板２の第１の側面に対向する第２の側面である側面８ｂにも配置することができる。側面８ａから入射する発光光に加えて、側面８ｂからも発光光を入射させ、Ｙ方向の逆向きに伝播させることにより、発光面１０の輝度分布をより均一にすることができる。
【００２０】
図２（ｃ）は、導光板１２と、点光源３と、の配置の第３の具体例を表す。同図中に示すように、点光源３は、矩形の導光板１２の短辺側に沿って配置することもできる。この場合、突起５は、導光板１２の長辺に沿ったＸ方向に延在するストライプ状に設けられ、短辺に沿ったＹ方向に並列して配置される。
【００２１】
図３は、本実施形態に係る導光板２を例示する模式図である。図３（ａ）は、導光板２を模式的に示す斜視図であり、図３（ｂ）は、図３（ａ）におけるIIIｂ−IIIｂ断面の一部を拡大して示す模式図である。
【００２２】
図３（ｂ）に示すように、導光板２の発光面１０には、短辺に沿ったＹ方向に延在するストライプ状の複数の突起５が設けられている。突起５の断面は、例えば、高さｄ、頂角θの三角形となるように設けることができる。
【００２３】
突起５の高さｄは、高すぎないことが望ましい。すなわち、突起５が高い程、発光面の輝度に突起に対応した分布が現れ易くなり、また、導光板２の製作時の難度も高くなる。
表１は、厚さ３ｍｍの導光板２に設けられた突起５の高さｄを、０．０５ｍｍ〜０．５ｍｍの範囲で変化させた場合に、発光面１０に現れる輝度ムラの評価を示している。
【００２４】
【表１】
2011253648.tif 000003
【００２５】
例えば、表１中の○は、輝度にムラが無く、発光面１０が均一に発光することを示している。△は、突起５に対応した縞状の輝度分布が確認されるが、光学シート２３により改善が可能なレベルにあることを示す。  
一方、×は、発光面１０に縞状の輝度ムラがはっきりと視認され、バックライト装置に使用できなレベルにあることをしめす。
【００２６】
表１に示す輝度ムラの評価によれば、突起の高さｄが０．２ｍｍ以下であれば、導光板２の発光面１０は均一に発光する。さらに、ｄが０．３ｍｍ以下であれば、バックライト装置に使用することができる。
【００２７】
すなわち、厚さｔ＝３ｍｍの導光板であれば、  
ｄ≦０．３
であることが望ましい。そして、突起の高さｄは、導光板２の厚さｔに対して、例えば、
ｄ≦ｔ／１０  
を満足するように形成することができる。
【００２８】
さらに、後述するように、点灯ブロックの境界における輝度の急峻な変化（図６〜図９参照）を得るための下限値が存在し、  
例えば、
０．０２ｍｍ≦ｄ≦０．３ｍｍ  
とすることもできる。  
上記の突起５は、導光板２の押し出し成型時に賦形する方法、または、射出成形に用いる金型やスタンパーに突起５となる溝を加工する方法により安価に製作することができる。
【００２９】
図４（ａ）〜（ｃ）は、本実施形態の変形例に係る導光板を例示する模式図である。  
図４（ａ）に示す導光板２ａでは、発光面１０に設けられた突起５ａの間に平坦部６が形成されている。  
さらに、図４（ｂ）に示すように、連続して設けられた突起５ｂと平坦部６ｂとが、交互に配置された構成とすることもできる。  
また、図４（ｃ）に示すようなレンチキュラー（例えば、円弧状の断面を有する突起７の配列）を設けても良い。
【００３０】
なお、図３および図４には図示されていないが、発光面１０の裏面側には、点光源３の発光光を発光面に導くために加工された出射パターンが設けられている。パターンの形状および形成方法は限定されるものではなく、例えば、白色ドット印刷、レーザによるドット加工、シボパターン、全反射屈折パターン等を用いることが出来る。
【００３１】
図５は、突起の断面形状を例示する模式図である。発光面１０に設けられた突起の光学的な効果は、突起頂部の頂角θに依存する。したがって、図５（ａ）に示すレンチキュラーと、図５（ｂ）に示す三角形状の突起と、に共通する頂角θを定義しておけば便利である。
【００３２】
例えば、図５（ａ）に示すレンチキュラーにおいて、突起７の高さｄの頂部から表面に沿って下方に向かい高さがｄの１／２となる点Ｒ１、Ｒ２を定義する。さらに、点Ｒ１、Ｒ２において突起７に接する接線Ｃ１、Ｃ２の交点Ｐ１における内角を、レンチキュラー形状の頂角θとして定義することができる。
【００３３】
このように定義したレンチキュラー形状の頂角θは、図５（ｂ）に示す三角形状の突起５の頂角と共通性を有する。すなわち、突起５の高さｄの頂部から三角形状の２辺に沿って下方に向かい、高さがｄの１／２となる点Ｔ１、Ｔ２を定義する。Ｔ１、Ｔ２における接線Ｄ１、Ｄ２は、三角形状の２辺に一致する。したがって、接線Ｄ１、Ｄ２の交点Ｐ２は三角形状の頂部であり、頂角θは、上記のレンチキュラーと同じ定義に基づくものと見なすことができる。
【００３４】
図６は、バックライト装置１００の点灯状態を模式的に例示する平面図である。  
導光板２の長辺に沿った側面の両側に配置された点光源３の内、点灯ブロックＢ１およびＢ２に配置された点光源３ａが点灯し、他のブロックに位置する点光源３ｂは、消灯されている。
【００３５】
点灯ブロックＢ１に配置された点光源３ａは、それぞれ、突起５が延在するＹ方向において点灯ブロックＢ２に配置された点光源３ａと対向し、例えば、点灯ブロックＢ１およびＢ２に配置された点光源３ａは同時に点灯する。
【００３６】
点灯ブロックＢ１およびＢ２に挟まれた導光板２の発光面１０は、帯状に発光する。さらに、点灯ブロックＢ１およびＢ２の点光源３ａを同時に発光させることにより、Ｙ方向に均一な輝度分布を得ることができる。一方、導光板の長辺に沿ったＸ方向では、輝度分布は均一とならず、例えば、帯状の発光領域Ｓの端は、輝度勾配を有する。
【００３７】
バックライト装置１００を分割点灯させて液晶表示装置の画像品質を向上させるためには、帯状の発光領域Ｓの端の輝度勾配を大きくして輝度を急峻に変化させた方が良い場合がある。このようにすれば、例えば、残像のないシャープな動画像を表示させることが可能となる。
【００３８】
次に、発光領域Ｓの端部における輝度分布と、発光面１０に設けられた突起５の頂角θと、の関係について説明する。  
図７〜図１０は、突起５の頂角θを変えて光学シミュレーションした発光面１０の輝度分布を示している。
【００３９】
光学シミュレーションのモデルとした導光板２の寸法は、長辺９６０ｍｍ×短辺５５３ｍｍ×厚さ５ｍｍである。導光板２の長辺に沿って点光源３であるＬＥＤが５．８ｍｍピッチで配置され、導光板２の裏面側には、前述した印刷ドットが設けられたものとした。さらに、ＬＥＤは、５個一組で点灯ブロックを形成するものとした。
【００４０】
図７〜図１０は、それぞれ、導光板２の一方の長辺に配置されたＬＥＤのうち、中央の点灯ブロックＢ１に含まれる５個のＬＥＤを点灯させたときの発光面１０の輝度分布を、等輝度線で示している。例えば、図７中に示すＩ１〜Ｉ７の等輝度線では、数字が大きい程、高い輝度を示す。以下、図８〜１０においても同様である。
【００４１】
図７は、突起５の頂角θを１６０°、高さｄを０．０５ｍｍとした場合の発光面１０の輝度分布を示している。ＬＥＤが配置された長辺側から放射状に光が広がり、発光面１０の輝度が下がってゆく状態を示している。
【００４２】
これに対して、図１０は、比較例として、発光面１０に突起５を形成しない場合の輝度分布を示している。図７に示す輝度分布と比較すると、共に、Ｘ方向に広がりを持った放射状のパターンとなっており、発光面１０に形成された突起５の効果は見られない。
【００４３】
図８は、突起５の頂角θを１２０°、高さｄを０．０５ｍｍとした場合の輝度分布を示している。図７および図１０に示した輝度分布に比べると、Ｘ方向への分布が狭まり、輝度の高い領域がＹ方向へ伸びていることがわかる。
【００４４】
図９は、突起５の頂角θを９０°、高さｄを０．０５ｍｍとした場合の輝度分布を示している。同図に示す輝度分布は、図７に示す輝度分布よりもＸ方向の分布がさらに狭まり、Ｙ方向へ高輝度の領域が伸びている。
【００４５】
このように、突起５の頂角θを小さくするほど、導光板２の長辺に沿ったＸ方向の輝度分布が狭まる。すなわち、図６に示す帯状の発光領域ＳのＸ方向の端における輝度勾配が大きくなり、輝度の変化が急峻となる。例えば、突起５の頂角θを１２０°以下とすることにより、液晶表示装置の画質を向上させることができる。
【００４６】
上記のシミュレーションにおいて、発光面１０に設けられる突起５は、図３に示すように、連続して長辺に沿ったＸ方向に並列されるものとした。一方、図４（ａ）、（ｂ）に示したように、平坦部６を挟んで離散的に配置しても、突起５ａ、５ｂの頂角θを小さくするほどＸ方向の輝度分布の広がりを抑制することができる。さらに、図４（ｃ）に示すレンチキュラー形状の突起７を形成しても、同様の頂角θ依存性が生じる。
【００４７】
図１１（ａ）は、上記シミュレーションにおける点光源３の配置を例示する模式図である。導光板２の側面８ａに、点光源３ａおよび３ｂが配置された状態を模式的に示している。図１１（ｂ）は、発光面１０に設けられた突起５における発光光の反射を示す模式図である。以下、図１１（ａ）および（ｂ）を参照して、導光板２の内部における光の伝播について説明する。
【００４８】
例えば、導光板２の発光面１０が平坦であれば、点光源３ａから導光板２に入射した光の内、Ｘ方向に伝播する光は、発光面１０と裏面との間で反射を繰り返しながらＸ方向へ伝播して行く。前述したように、導光板の裏面には光出射パターンが形成されているので、伝播する光の一部が発光面１０の方向に反射されて導光板から出て行く。  
このため、図１０に示したように、発光面１０から放出される光は、Ｘ方向に広がった輝度分布を示す。
【００４９】
一方、図１１（ａ）に示すように、発光面１０に突起５を設けると、Ｘ方向の輝度分布を狭くすることができる。  
前述したように、点灯ブロックＢ１に含まれる点光源３ａを点灯させ、点灯ブロックＢ１以外の点光源３ｂを非点灯とする。点光源３ａおよび３ｂは、均等な間隔Ｌをもって配置されている。ここで、点灯ブロックＢ１の端に配置された点光源３ａと、その隣に位置する非点灯の点光源３ｂと、の中間を発光領域Ｓの境界とする。
【００５０】
図１１（ａ）、（ｂ）に示すように、隣り合う点光源３ａ、3ｂの中心間隔をＬ、導光板２の厚さをｔ、突起５の頂角をθとする。  
図１１（ｂ）は、点灯ブロックＢ１の端に位置する点光源３ａの中心Ｃ０から、発光面１０における発光領域Ｓの境界に向かう光Ｌ１の光路を示している。同図において、発光光Ｌ１は、発光面１０に設けられた突起５の側面９に入射角εで入射する。
【００５１】
突起側面９に入射した光の一部Ｌ２は、導光板２と外界との境界を通過して放出される。一方、導光板２と外界との境界で反射されるＬ３も存在する。例えば、Ｌ３の反射角εの２倍が、図１１（ｂ）中に示したδよりも大きいと、反射光Ｌ３は、発光領域Ｓの境界線Ｖを越えて外側に伝播する。すなわち、発光領域Ｓの外に漏れ出す光となって、発光領域Ｓを実質的に拡張してしまうことになる。
【００５２】
すなわち、発光領域Ｓの両端における光の広がりを抑制し、輝度の変化を急峻にするためには、
２ε≦δ  
となることが望ましい。
【００５３】
例えば、点光源３ａが、導光板２の厚さ方向の中心に配置された場合、点光源３ａの中心Ｃ０から発光面１０における発光領域Ｓの境界に向かう発光光Ｌ１の光路と、導光板２の厚さ方向に沿った境界線Ｖと、の間の内角であるδは、
δ＝ｔａｎ−１（Ｌ／ｔ）  
となる。
【００５４】
一方、厚さ方向に沿った境界線Ｖと突起側面９との間の内角は、θ／２であるから、入射角εと、δと、突起５の頂角θとの関係は、
δ−ε＝９０−θ／２
となる。このとき、２ε≦δとなるためには、  
ｔａｎ−１（Ｌ／ｔ）≦１８０°−θ  
の関係が満足されれば良い。これにより、発光領域Ｓの両端において輝度を急峻に変化させることができる。
【００５５】
図１２は、本実施形態の変形例に係るバックライト装置２００を模式的に示す平面図である。図１２（ａ）は、導光板１２および点光源３、点灯回路３０の配置を示し、図１２（ｂ）は、点灯回路３０の構成を模式的に例示している。
【００５６】
図１２（ａ）に示すように、点光源３は、導光板１２の短辺に沿った側面に配置しても良い。同図に示すように、点光源３は、第１の側面である側面１８ａおよび第２の側面である側面１８ｂに沿って導光板１２の両側に配置しても良いし、一方の側面に配置することもできる。導光板１２の発光面１０に設けられる突起５のストライプは、長辺に沿ったＸ方向に形成されている。各点光源３には、点灯回路３０が接続され、さらに、点灯回路３０は、点灯制御回路４０に接続されている。
【００５７】
図１２（ｂ）に示すように、点灯回路３０には、例えば、点灯スイッチ３２が設けられ、点光源３であるＬＥＤに電力を供給するＤＣライン３１を開閉して、点光源３の点灯、消灯を制御する。点灯制御回路４０は、制御ライン３３を介して制御信号を伝達し点灯スイッチ３２を開閉する。
【００５８】
例えば、点灯制御回路４０は、点灯回路３０を個別に認識して制御ライン３３を介して制御信号を送ることにより、点光源３を１個または複数個単位で、別々に点灯させることができる。すなわち、点灯制御回路４０は、点灯回路３０を制御して、複数の点光源３から選択された任意数の点光源を含むブロック毎に点灯を制御することができる。
【００５９】
図１２（ａ）に示す例では、点光源３は、Ｅ１〜Ｅ３およびＦ１〜Ｆ３の点灯ブロックに分割され、点灯制御回路４０によって点灯制御される。さらに、点灯回路３０は、点灯制御回路４０からの制御信号を受けて、突起５のストライプ方向であるＸ方向において発光光の入射位置が相互に対向した、側面１８ａ側の点光源３と、側面１８ｂ側の点光源３と、を同時に発光させることができる。
【００６０】
これにより、例えば、点灯ブロックＥ１〜Ｅ３およびＦ１〜Ｆ３をブロック毎に点灯し、Ｘ方向において対向するブロックを同時に点灯することができる。これにより、発光面１０を帯状に分割した発光領域Ｓ１〜Ｓ３をそれぞれ独立に発光させ、発光領域を移動させるスキャニングが可能となる。
【００６１】
さらに、発光面１０に形成される突起５の数を、例えば、側面１８ａ側における点灯ブロックＥ１〜Ｅ３の数よりも多くすることができる。すなわち、１つの点灯ブロックが対向する導光板１２の側面１８ａのＹ方向の幅よりも、突起５のＹ方向に配列される周期幅を狭くすることができる。具体的には、例えば、隣り合う突起５の間隔を、Ｙ方向における点灯ブロックＥ１〜Ｅ３の幅の１０分の１以下にすることができる。
【００６２】
上記のように形成された突起５を有する導光板１２を用いれば、点灯ブロックの幅（単位ブロック当たりの点光源の数）を変化させることにより、発光領域の輝度分布の均一性を維持しながら、帯状の発光幅を変えることができる。そして、バックライト装置２００を液晶表示装置に用いることにより、表示画像の特性に合わせた発光パターンを実現することが可能となり、画像品質を向上させることができる。
【００６３】
例えば、動画像と文字画像とが同時に表示される場合に、発光領域の幅をそれぞれの画像の幅に合わせることが可能であり、滑らかな画像を表示することができる。さらに、画像の書き換えのタイミングに合わせて、上下方向に発光領域の点灯／消灯時間のタイミングをずらすことにより、液晶表示パネルの応答速度が遅いことに起因する動画ボケを改善することができる。また、液晶パネルに３次元画像を表示する際に、左右それぞれの目に入れる情報がオーバーラップするクロストークを低減することが可能となる。  
このように、本実施形態により実現されるバックライト装置は、安価に製造でき汎用性の高いものとなる。
【００６４】
図１３は、一実施形態に係る液晶表示装置４００の構成を模式的に例示するブロック図である。液晶パネル６０の画面にスキャニング表示を行う制御フローと、全画面に表示する制御フローと、を概念的に例示している。
【００６５】
本実施形態に係る液晶表示装置４００は、液晶パネル６０と、バックライト装置３００と、ＬＣＤ駆動回路５０と、点灯制御回路４０を備えている。点灯制御回路４０は、バックライト装置３００が有する点灯回路３０に、ブロック毎の点灯を制御するための信号を送る。これにより、液晶パネル６０の画面にスキャニング表示を行うことができる。  
点灯制御回路４０は、ＬＣＤ駆動回路５０に含めても良いし、バックライト装置３００に含めることもできる。
【００６６】
以下、図１３を参照して制御フローの一例を説明する。  
ＬＣＤ駆動回路５０は、外部から入力された画像信号を画像信号変換部５１にて制御信号に変換し、液晶パネル６０を駆動する。さらに、画像信号変換部５１は、画像信号からクロック信号を取り出し、表示モード制御部５２に送る。
【００６７】
表示モード制御部５２は、外部からの表示モード選択信号を受けて表示モードを決定する。例えば、スキャニング表示をする場合には、画像信号変換部５１から送られたクロック信号に基づいて、点灯ブロック毎の点灯／消灯を制御するタイミング信号を生成する。さらに、点光源３のアドレスを指定して、タイミング信号とともに点灯制御回路４０に送る。  
一方、別途、画像信号を受けた調光制御部は、調光制御信号を点灯制御回路４０に送る。
【００６８】
点灯制御回路４０は、表示モード制御部５２および調光制御部５３から制御信号を受けて、バックライト装置３００の実装基板２２に配置された点光源３を点灯制御する。点灯回路３０は、例えば、実装基板２２に設けることができる。
【００６９】
例えば、スキャニング表示の制御信号を受けた場合は、画面分割数に応じた点光源３のアドレス情報と、表示画像を切り替えるタイミング信号と、に基づいて点灯ブロック単位で順次点灯／消灯の制御を行なう。
【００７０】
導光板１２の発光面の分割数としては、液晶パネル６０の大きさに関係なく、例えば、４分割、１６分割、および６４分割などが考えられる。さらに、分割数の決定を外部からの入力に基づいて決定する分割数選択式や、予めＬＣＤ駆動回路５０の内部で設定されている固定方式などを選択することができる。
【００７１】
全画面表示の信号を受けた場合は、バックライト装置３００に搭載した点光源３に連続点灯の信号が送られ、全ての点光源３が点灯して導光板１２の発光面の全体が均一発光する。
【００７２】
一方、液晶パネル６０には、表示モードにかかわらず全画面に画像信号を送ることができる。したがって、バックライト装置３００の発光制御のみにより、液晶パネル６０の画面にスキャニング表示をすることができる。
【００７３】
図１４は、液晶表示装置４００の画面に表示される画像を例示する模式図である。同図の（ａ）〜（ｄ）に表されているように、例えば、表示画面を３等分し、中央→上下→中央→上下の順でスキャニング表示することができる。
【００７４】
例えば、図１４（ａ）の中央の発光領域Ｓ２の発光が、図１４（ｂ）では、発光領域Ｓ３へ移動し、同時に、新たな発光が発光領域Ｓ１で生じる。次に、図１４（ｂ）の発光領域Ｓ１で生じた発光が、図１４（ｃ）の発光領域Ｓ２へ移動する。さらに、図１４（ｃ）の発光領域Ｓ２の発光が、図１４（ｄ）では発光領域Ｓ３へ移動し、同時に、発光領域Ｓ１に発光が生じる。  
このように、上記の表示方法では、バックライト装置３００の発光を画面の上から下へスキャニングすることができる。
【００７５】
以上、本発明に係る一実施形態を参照して本発明を説明したが、本発明はこれらの実施形態に限定されるものではない。例えば、出願時の技術水準に基づいて、当業者がなし得る設計変更や、材料の変更等、本発明と技術的思想を同じとする実施態様も本発明の技術的範囲に含有される。
【符号の説明】
【００７６】
２、２ａ、２ｂ、２ｃ、１２・・・導光板、  ３、３ａ、３ｂ・・・点光源、  ５、５ａ、５ｂ、７・・・突起、  ６、６ｂ・・・平坦部、  ８ａ、８ｂ、１８ａ、１８ｂ・・・側面、  ９・・・突起側面、  １０・・・発光面、  ２１・・・バックフレーム、  ２２・・・実装基板、  ２３・・・光学シート、  ２５、２７・・・反射シート、  ２６・・・フロントフレーム、  ２８・・・開口部、  ３０・・・点灯回路、  ３１・・・ＤＣライン、  ３２・・・点灯スイッチ、  ３３・・・制御ライン、  ４０・・・点灯制御回路、  ５０・・・ＬＣＤ駆動回路、  ５１・・・画像信号変換部、  ５２・・・表示モード制御部、  ５３・・・調光制御部、  ６０・・・液晶パネル、  １００、２００、３００・・・バックライト装置、  ４００・・・液晶表示装置、  Ｂ１、Ｂ２、Ｅ１〜Ｅ３、Ｆ１〜Ｆ３・・・点灯ブロック、  Ｓ、Ｓ１〜Ｓ３・・・発光領域
【図１】
2011253648.tif 000004
【図２】
2011253648.tif 000005
【図３】
2011253648.tif 000006
【図４】
2011253648.tif 000007
【図５】
2011253648.tif 000008
【図７】
2011253648.tif 000009
【図８】
2011253648.tif 000010
【図９】
2011253648.tif 000011
【図１０】
2011253648.tif 000012
【図１１】
2011253648.tif 000013
【図１２】
2011253648.tif 000014
【図１３】
2011253648.tif 000015
【図６】
2011253648.tif 000016
【図１４】
2011253648.tif 000017